(57)【特許請求の範囲】
【請求項１】
第１絶縁本体と、前記第１絶縁本体に装着される第１導電端子と、前記第１絶縁本体を覆う第１シェルと、を含み、前記第１絶縁本体と第１シェルとにより第１収容空間を形成する第１コネクタと、
第２絶縁本体と、前記第２絶縁本体に装着される第２導電端子と、を含み、前記第２絶縁本体に第２収容空間を形成し、前記第１コネクタに積み重なるように配置される第２コネクタと、
前記第１コネクタと第２コネクタとの間に配置され、前記第１導電端子と第２導電端子とにそれぞれ接続するための導電パッドを配置される回路基板と、
を含むカード用コネクタにおいて、
前記第２絶縁本体に切欠け部を形成し、前記回路基板が切欠け部に部分的に露出し、
前記第２絶縁本体の切欠け部に位置するように前記回路基板に接続する中継部材を含むことを特徴とするカード用コネクタ。
【請求項２】
前記第２絶縁本体は主体部と収容部とを有し、
前記回路基板は前記収容部に実装され、前記主体部の上表面と同じ平面上に位置することを特徴とする請求項１に記載のカード用コネクタ。
【請求項３】
前記収容部には凸部が形成され、前記回路基板には前記収容部の凸部に係合するための位置決め孔が形成されていることを特徴とする、請求項２に記載のカード用コネクタ。
【請求項４】
前記収容部には位置決め孔を形成し、前記回路基板には前記収容部の位置決め孔に係合するための凸部を形成していることを特徴とする、請求項２に記載のカード用コネクタ。
【請求項５】
第１絶縁本体と、前記第１絶縁本体に装着される第１導電端子と、前記第１絶縁本体を覆う第１シェルと、を含み、前記第１絶縁本体と第１シェルにより第１収容空間を形成する第１コネクタと、
第２絶縁本体と、前記第２絶縁本体に装着される第２導電端子と、を含み、前記第２絶縁本体に第２収容空間を形成し、前記第１コネクタに積み重なるように配置される第２コネクタと、
前記第１コネクタと第２コネクタとの間に配置され、前記第１導電端子と第２導電端子とにそれぞれ接続するための導電パッドを配置される回路基板と、
を含むカード用コネクタにおいて、
前記第１収容空間の一方の側に空間部が形成され、前記回路基板が空間部に部分的に露出し、
前記空間部に位置するように前記回路基板に接続する中継部材を含むことを特徴とするカード用コネクタ。
【請求項６】
前記第２絶縁本体は主体部と収容部とを有し、
前記回路基板は前記収容部に実装され、前記主体部の上表面と同じ平面上に位置することを特徴とする、請求項５に記載のカード用コネクタ。
【請求項７】
前記収容部には凸部が形成され、前記回路基板には前記収容部の凸部に係合するための位置決め孔が形成されていることを特徴とする請求項６に記載のカード用コネクタ。
【請求項８】
前記収容部には位置決め孔が形成され、前記回路基板には前記収容部の位置決め孔に係合するための凸部が形成されていることを特徴とする請求項６に記載のカード用コネクタ。
【発明の詳細な説明】
【技術分野】
【０００１】
本発明は、カード用コネクタに関し、特に回路基板に接続するためのカード用コネクタに関するものである。
【背景技術】
【０００２】
一例として、従来技術のカードコネクタは、特許文献１に示すように、回路基板に実装され、第１導電端子を装着するための第１インシュレータと、第１インシュレータを覆っているシェルと、第２導電端子を装着される第２インシュレータとを有し、前記第１インシュレータとシェルとは第１カードを収容するための第１収容空間が形成され、第２インシュレータにより第２カードを収容するための第２収容空間が形成されている。カード用コネクタが回路基板に実装され、カード用コネクタの先端に回路基板に接続する中継基板に配置され、第１導電端子と第２導電端子とが中継基板に機械且つ電気的に接続し、中継基板を介してカード用コネクタが回路基板に接続している。
【特許文献１】中国実用新案公告第２５２００１１明細書
【発明の開示】
【発明が解決しようとする課題】
【０００３】
しかしながら、特許文献１に示されたカード用コネクタの先端には中継基板に配置するので、カード用コネクタの長さが増長することは必要であり、回路基板を占める空間が増加し、カード用コネクタの小型化に不利になった。そこで、上記欠点に鑑みて、新型のカード用コネクタを開発することが必要である。
【０００４】
本発明は、カード用コネクタの長さを減少することが図れ、回路基板の空間が有効に利用されるカード用コネクタを提供することを目的とする。
【課題を解決するための手段】
【０００５】
前記目的を達成するために、本発明のカードコネクタは、第１絶縁本体と、前記第１絶縁本体に装着される第１導電端子と、前記第１絶縁本体を覆う第１シェルと、を含み、前記第１絶縁本体と第１シェルとにより第１収容空間が形成される第１コネクタと、第２絶縁本体と、前記第２絶縁本体に装着される第２導電端子と、を含み、前記第２絶縁本体に第２収容空間が形成され、前記第１コネクタに積み重なるように配置される第２コネクタと、前記第１コネクタと第２コネクタとの間に配置され、前記第１導電端子と第２導電端子とにそれぞれ接続するための導電パッドを配置される回路基板と、を含むカード用コネクタにおいて、前記第２絶縁本体に切欠け部が形成され、前記回路基板が切欠け部に部分的に露出し、前記第２絶縁本体の切欠け部に位置するように前記回路基板に接続する中継部材を含むことを特徴とする。
【０００６】
また、前記目的を達成するために、本発明のカード用コネクタは、第１絶縁本体と、前記第１絶縁本体に装着される第１導電端子と、前記第１絶縁本体に覆う第１シェルと、を含み、前記第１絶縁本体と第１シェルにより第１収容空間が形成される第１コネクタと、第２絶縁本体と、前記第２絶縁本体に装着される第２導電端子と、を含み、前記第２絶縁本体に第２収容空間が形成され、前記第１コネクタに積み重なるように配置される第２コネクタと、前記第１コネクタと第２コネクタとの間に配置され、前記第１導電端子と第２導電端子とにそれぞれ接続するための導電パッドを配置される回路基板と、を含むカード用コネクタにおいて、前記第１収容空間の一方の側に空間部が形成され、前記回路基板が空間部に部分的に露出し、前記空間部に位置するように前記回路基板に接続する中継部材を含むことを特徴とする。
【発明の効果】
【０００７】
従来の技術に比べると、本発明は以下の効果を奏する。回路基板が第１コネクタと第２コネクタとの間に配置され、第２コネクタの切欠け部又は第１コネクタの空間部により回路基板が部分的に露出され、中継部材が露出された回路基板に接続するので、カード用コネクタの先端に配置されることは必要とせず、カード用コネクタの長さが減少され、回路基板の空間が有効的に利用される。
【発明を実施するための最良の形態】
【０００８】
図１〜図7に基づいて、本発明のカード用コネクタ１００について説明する。カード用コネクタ１００は、同時に二種の異なるカードに接続でき、第１シェル３０と、第１シェル３０の下方に組付けられる第１絶縁本体５０と、第１絶縁本体５０の下方に組付けられる第２絶縁本体６０と、第２絶縁本体６０の下方を覆う第２シェル４０と、第１絶縁本体５０及び第２絶縁本体６０の間に配置される回路基板１０とを含む。回路基板１０には中継部材１４が配置される。
【０００９】
前記第１シェル３０と第１絶縁本体５０により第１カードを収容するための第１収容空間２０が形成される。第１シェル３０がＬ字形状を呈するので、第１収容空間２０はＬ字形状を呈すし、幅が狭い先端と幅が広い後端とを含むことによって、先端の一方の側に空間部３４が形成されている。第１絶縁本体５０は第１収容空間２０の幅が狭い先端に取付けされ、第１イジェクト機構８４が第１シェル３０の空間部３４に隣接する側壁に組付けされる。第２絶縁本体６０と第２シェル４０とは第２カードを収容するための第２収容空間９０を形成する。第１絶縁本体５０には第１導端子５２１が装着され、第２収容空間９０に第２導電端子１３１が突出している。第１絶縁本体５０と、第１導電端子５２１と、第１シェル３０とが第１コネクタ（参照記号なし）からなり、第２絶縁本体６０と、第２シェル４０と、第２導電端子１３１とが第２コネクタ（参照記号なし）からなり、第１コネクタと第２コネクタとは積み重なるように配置される。
【００１０】
図３を参照すると、第１絶縁本体５０は、基部５３と、基部５３の両端からそれぞれ対向するように延出される両延出アーム５１と、基部５３から後向きに延出し両延出アーム５１との間に位置する対接部５２とを含む。各延出アーム５１の先端にはネジ孔５０１がそれぞれ形成され、前記第１イジェクト機構８４に隣接した基部５３の端部には上向きの上係合部５３２と、前向きの前係合部５３３が形成され、基部５３の中部には突出係合部５３１が前向きに延出するように形成される。前記第１導電端子５２１が対接部５２に保持され、末端が回路基板１０に半田付けされる。
【００１１】
第１シェル３０は、第１絶縁本体５０に組付けられ、Ｌ字形状を呈し、主体部３１と主体部３１から下向きに延出する複数の側壁３２とを有し、その一方の側壁３２は保持片３２５と、第１収容空間２０へ突出する固持部３２４が形成され、カードの挿入口に隣接する両側壁には、前向き、下向き、後向きにそれぞれ延出するように三つの係止弾性片３２０が形成される。主体部３１には前記第１絶縁本体５０のネジ孔５０１に対応するようなネジ孔３１０が形成され、第１絶縁本体５０の上係合部５３２、前係合部５３３、突出係合部５３１に対応する箇所には、係合孔３１２，３１３，３１１がそれぞれ形成される。
【００１２】
ガイド部材８０は第１収容空間２０に取付けされ、ガイド部８５と取付部８２とを含み、そのガイド部８５は第１シェル３０の保持片３２５に係合し、取付部８２には第１シェル３０の固持部３２４に収容するように係合するための溝部８１が形成される。ガイド部材８０により第１収容空間２０に挿入したカードをガイドする。
【００１３】
一対の保持部材７０は、第１シェル３０の係合孔３１２，３１３，３１１に係合することによって、第１シェル３０の両側にそれぞれ組合いし、保持部材７０の底部には孔部７５と突出部７６とが形成されている。
【００１４】
図４を参照すると、第２シェル４０は、本体部４９と本体部４９から下向きに延出する係合側壁（参照記号なし）とを有し、本体部４９の先端の一方の側には開口４８が形成され、本体部４９の先端には第２収容空間９０へ突出するように形成される弾性片４６が形成され、本体部４９の両側には前記保持部材７０の孔部７５に係合するための係止片４１がそれぞれ形成されている。弾性片４６によって第２収容空間９０に挿入したカードを第２導電端子１３１に安定するように接続している。本体部４９の先端には一対の係合孔４５とネジ孔４４とを有し、係合側壁には取付孔４２がそれぞれ形成する。
【００１５】
図４と図５を参照すると、第２絶縁本体６０は、主体部６４と、主体部６４から前向きに延出するように形成された収容部６３とを有し、収容部６３の後端に第２シェル４０の開口４８に対応する切欠け部６６が形成される。主体部６４と収容部６３との連接する箇所には階段部６５が設けられ、階段部６５によって主体部６４と収容部６３とが異なる平面上にそれぞれ位置している。
【００１６】
第２絶縁本体６０の主体部６４に一対の凸部６３１が形成され、一対の凸部６３１の間には第２導電端子１３１を収容するための取付口６３２が形成されている。第２絶縁本体６０の両側には第２シェル４０の取付孔４２に係合する係合凸部６１がそれぞれ形成され、また、前記一対の保持部材７０を保持するための係合部６２が形成される。収容部６３の先端には第２シェル４０の係合孔４５に対応するように係合するための凸部６２２が形成され、先端の両端にはナット４７を収容するための凹み部６２２がそれぞれ形成され、凹み部６２２には第２シェル４０のネジ孔４４に対応したネジ孔６２４が形成される。
【００１７】
回路基板１０が前記第１コネクタと第２コネクタとの間に配置され、第２絶縁本体６０の凸部６３１に係合するための位置決め孔１２が形成され、前記第１シェル３０のネジ孔３１０、第１絶縁本体５０のネジ孔５０１、第２絶縁本体６０のネジ孔６２４、第２シェル４０のネジ孔４４に対応する孔１１が形成されている。回路基板１０には前記第１導電端子５２１と第２導電端子１３１とに電気的に接続するための導電パッド（図示せず）に形成している。
【００１８】
取付けた際に、前記凸部６３１が位置決め孔１２に係合することによって、回路基板１０が第２絶縁本体６０の収容部６３に収容し保持され、取付けた回路基板１０の上表面が主体部６４の上表面と同じ平面上に位置している。第２導電端子１３１が取付口６３２に装着し、第２導電端子１３１が第２収容空間９０に突出している。第１シェル３０は、係合孔３１１，３１２，３１３が係合部５３１，５３２，５３３にそれぞれ係合することによって第１絶縁本体５０に係合している。第２シェル４０は、係合孔４５と凸部６２２との係合、取付孔４２と係合凸部６１との係合によって、第２絶縁本体６０に係合している。保持部材７０によって、第１シェル３０、第２シェル４０、第２絶縁本体６０が保持される。ナット４７が第２絶縁本体６０の凹み部６２２に収容され、下部がネジ４４，６２４に挿入され、ナット４７の中央部にネジ孔が貫通するように形成される。ネジ３３がネジ孔３１０，５０１、回路基板１０の孔１１、ナット４７のネジ孔に順に挿入することによって、第１コネクタと第２コネクタとが保持され、また、保持部材７０によって第１コネクタと第２コネクタとの挿入端が保持される。
【００１９】
回路基板１０が第１コネクタと第２コネクタとの間に配置され、第２コネクタの切欠け部６６又は第１コネクタの空間部３４により回路基板１０が部分的に露出され、中継部材１４は、露出された回路基板に接続すると共に前記切欠け部６６又は空間部３４に位置するので、カード用コネクタ１００の先端に配置されることは必要とされず、カード用コネクタ１００の長さが減少され、回路基板１０の空間が有効に利用される。また、中継部材１４が回路基板１０の他方の側壁に実装され、前記開口４８と切欠け部６６とに位置してもいい。勿論、中継部材１４は、例えば、コネクタ、ＦＦＣ、ＦＰＣ、普通のケーブル等である。
【００２０】
本発明のカード用コネクタ１００は、回路基板１０が第１コネクタと第２コネクタの間に配置し、中継部材１４は第１コネクタ又は第２コネクタにより形成される空間に位置するように回路基板１０に接続し、カード用コネクタ１００の先端に配置することは必要ではないことで、カード用コネクタ１００の長さが減少される。本実施状態において、第１コネクタはEXPRESSカード用コネクタであり、第２コネクタはSmartカード用コネクタである。
【００２１】
以上本発明についてよい実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【図面の簡単な説明】
【００２２】
【図１】本発明に係るカード用コネクタの組立斜視図である。
【図２】図１に示すカード用コネクタの他の角度から見た組立斜視図である。
【図３】本発明に係るカード用コネクタの部分の分解斜視図である。
【図４】本発明に係るカード用コネクタの部分の分解斜視図である。
【図５】本発明に係るカード用コネクタの第２絶縁本体の組立斜視図である。
【図６】本発明に係るカード用コネクタの回路基板と中継部材の組立斜視図である。
【図７】図２に示すカード用コネクタのVII−VII線に沿う断面図である。
【符号の説明】
【００２３】
１００  カード用コネクタ
１０  回路基板
２０  第１収容空間
３０  第１シェル
３１  主体部
３２  側壁
３１０  ネジ孔
３１１，３１２，３１３  係合孔
３２０  係止弾性片
３２４  固持部
３２５  保持片
３４  空間部
４０  第２シェル
４１  係止片
４２  取付孔
４４  ネジ孔
４５  係合孔
４６  弾性片
４７  ナット
４８  開口
４９  本体部
５０  第１絶縁本体
５１  延出アーム
５２  対接部
５３  基部
５０１  ネジ孔
５２１  第１導電端子
５３１  突出係合部
５３２  上係合部
５３３  前係合部
６０  第２絶縁本体
６１  係合凸部
６２  係合部
６３  収容部
６４  主体部
６５  階段部
６６  切欠け部
６２２  凹み部
６２４  ネジ部
６３１  凸部
６３２  取付口
７０  保持部材
７５  孔部
７６  突出部
８０  ガイド部材
８１  溝部
８２  取付部
８４  第１イジェクト
８５  ガイド部
９０  第２収容空間
１３１  第２導電端子
【図１】
0004758465.tif 000002
【図２】
0004758465.tif 000003
【図３】
0004758465.tif 000004
【図４】
0004758465.tif 000005
【図５】
0004758465.tif 000006
【図６】
0004758465.tif 000007
【図７】
0004758465.tif 000008